(57)【要約】【課題】自動消火の設定時間を容易に確認することができるガスコンロを提供する。【解決手段】ガスコンロのバーナは、着火してから消火時間が経過すると消火される。消火時間が１２０分に設定されている場合、バーナの燃焼中にユーザが切替スイッチを操作すると、ＣＰＵは消火時間を３０分に設定し（Ｓ４１）、設定報知ＬＥＤを点灯する（Ｓ４３）。消火時間が３０分に設定されている場合にユーザが切替スイッチを操作すると、ＣＰＵは消火時間を１２０分に設定し（Ｓ３６）、設定報知ＬＥＤを消灯する（Ｓ３８）。ユーザは設定報知ＬＥＤの状態によって、消火時間の設定状況をいつでも知ることができる。消火時間の設定を示す早期消火フラグは、フラッシュメモリに記憶され、ガスコンロの電源がオフでも保持される。【選択図】図５
2019120452.tif 000002
【特許請求の範囲】
【請求項１】
筐体の上部に配置されるバーナと、
前記バーナにガスを供給するガス通路に設けられ、前記ガス通路を開閉する開閉弁と、
前記開閉弁が開き、前記バーナにガスが供給され始めた場合に作動して、予め設定された第一設定時間の経過を計時する第一タイマと、
前記第一タイマが前記第一設定時間の経過を計時した場合、前記開閉弁を制御して前記ガス通路を閉鎖する弁閉鎖手段と、
前記筐体に設けられ、操作の入力を受け付ける操作部と、
前記操作部に対する操作に基づき、前記第一設定時間として、第一時間、又は前記第一時間未満の所定の第二時間を設定する第一設定手段と、
前記第一設定時間の設定状態を報知し、且つ報知状態を維持する報知部と、
前記第一設定手段によって前記第一設定時間が前記第一時間に設定された場合には、前記報知部による報知が所定の第一形態でなされるように制御し、前記第一設定時間が前記第二時間に設定された場合には、前記報知部による報知が、前記第一形態とは異なる第二形態でなされるように制御する報知制御手段と
を備えたことを特徴とするガスコンロ。
【請求項２】
前記操作部は、前記筐体に設けられ、操作時と非操作時とでオン・オフの状態が異なるスイッチであり、
前記第一設定手段は、前記操作部が操作される度に、前記第一設定時間として、前記第一時間と前記第二時間とを交互に設定すること
を特徴とする請求項１に記載のガスコンロ。
【請求項３】
前記操作部は、前記ガス通路を流通するガスの流量を調整する操作つまみを含み、
前記第一設定手段は、前記操作部に対する所定手順の操作が所定時間内に行われる度に、前記第一設定時間として、前記第一時間と前記第二時間とを交互に設定すること
を特徴とする請求項１又は２に記載のガスコンロ。
【請求項４】
前記第一設定手段が設定した前記第一設定時間の設定状態を記憶する記憶部と、
前記第一タイマの作動時に前記記憶部から前記第一設定時間の設定状態を読み出し、前記第一設定時間に設定する第二設定手段と
を備え、
前記記憶部は、電力の供給がない状態でも前記第一設定時間の設定状態の記憶を維持すること
を特徴とする請求項１から３のいずれかに記載のガスコンロ。
【請求項５】
前記操作部が操作された場合に作動して、前記操作部の操作が継続する間、予め設定された第二設定時間の経過を計時する第二タイマを備え、
前記第一設定手段は、前記第二タイマが前記第二設定時間の経過を計時した場合、前記第一設定時間として前記第一時間を設定すること
を特徴とする請求項１から４のいずれかに記載のガスコンロ。
【発明の詳細な説明】
【技術分野】
【０００１】
本発明はガスコンロに関する。
【背景技術】
【０００２】
消し忘れ防止機能を備えたガスコンロが知られている。例えば特許文献１に記載のガスコンロは、ガスバーナが点火されると消し忘れ防止タイマを起動し、予め設定した消し忘れ時間が経過すると、ガスバーナを消火する。消し忘れ時間は、例えば複数のスイッチの同時押し等、特殊操作によって変更することができる。
【先行技術文献】
【特許文献】
【０００３】
【特許文献１】特開２００６−２９６８５号公報
【発明の概要】
【発明が解決しようとする課題】
【０００４】
しかしながら特許文献１には、消し忘れ時間の現在の設定を確認する手段が開示されていない。このため現在の設定が不明である場合、ユーザは、消し忘れ時間が所望する時間となるように、消し忘れ時間の再設定を行う必要があった。仮に、消し忘れ時間にユーザの所望する時間が設定されていた場合、消し忘れ時間を再設定すると、異なる時間が設定されてしまう。この場合ユーザは、所望する時間に設定を戻すため、再度、消し忘れ時間を再設定し直さなければならなかった。
【０００５】
本発明の目的は、自動消火の設定時間を容易に確認することができるガスコンロを提供することである。
【課題を解決するための手段】
【０００６】
本発明の請求項１に係る発明のガスコンロは、筐体の上部に配置されるバーナと、前記バーナにガスを供給するガス通路に設けられ、前記ガス通路を開閉する開閉弁と、前記開閉弁が開き、前記バーナにガスが供給され始めた場合に作動して、予め設定された第一設定時間の経過を計時する第一タイマと、前記第一タイマが前記第一設定時間の経過を計時した場合、前記開閉弁を制御して前記ガス通路を閉鎖する弁閉鎖手段と、前記筐体に設けられ、操作の入力を受け付ける操作部と、前記操作部に対する操作に基づき、前記第一設定時間として、第一時間、又は前記第一時間未満の所定の第二時間を設定する第一設定手段と、前記第一設定時間の設定状態を報知し、且つ報知状態を維持する報知部と、前記第一設定手段によって前記第一設定時間が前記第一時間に設定された場合には、前記報知部による報知が所定の第一形態でなされるように制御し、前記第一設定時間が前記第二時間に設定された場合には、前記報知部による報知が、前記第一形態とは異なる第二形態でなされるように制御する報知制御手段とを備えたことを特徴とする。
【０００７】
請求項２に係る発明のガスコンロは、請求項１に記載の発明の構成に加え、前記操作部は、前記筐体に設けられ、操作時と非操作時とでオン・オフの状態が異なるスイッチであり、前記第一設定手段は、前記操作部が操作される度に、前記第一設定時間として、前記第一時間と前記第二時間とを交互に設定することを特徴とする。
【０００８】
請求項３に係る発明のガスコンロは、請求項１又は２に記載の発明の構成に加え、前記操作部は、前記ガス通路を流通するガスの流量を調整する操作つまみを含み、前記第一設定手段は、前記操作部に対する所定手順の操作が所定時間内に行われる度に、前記第一設定時間として、前記第一時間と前記第二時間とを交互に設定することを特徴とする。
【０００９】
請求項４に係る発明のガスコンロは、請求項１から３のいずれかに記載の発明の構成に加え、前記第一設定手段が設定した前記第一設定時間の設定状態を記憶する記憶部と、前記第一タイマの作動時に前記記憶部から前記第一設定時間の設定状態を読み出し、前記第一設定時間に設定する第二設定手段とを備え、前記記憶部は、電力の供給がない状態でも前記第一設定時間の設定状態の記憶を維持することを特徴とする。
【００１０】
請求項５に係る発明のガスコンロは、請求項１から４のいずれかに記載の発明の構成に加え、前記操作部が操作された場合に作動して、前記操作部の操作が継続する間、予め設定された第二設定時間の経過を計時する第二タイマを備え、前記第一設定手段は、前記第二タイマが前記第二設定時間の経過を計時した場合、前記第一設定時間として前記第一時間を設定することを特徴とする。
【発明の効果】
【００１１】
請求項１に係る発明のガスコンロによれば、報知部が第一形態又は第二形態の報知により第一設定時間の設定状態の報知を行い、且つ報知状態が維持されるので、ユーザは、第一設定時間として第一時間又は第二時間のいずれが設定されているかを容易に確認することができる。仮に、設定部による報知状態の維持ができなければ、ユーザは、第一設定時間を設定するときに第一時間又は第二時間のいずれを設定したか、覚えていなければならない。もし忘れてしまえば、第一設定時間の設定状態を知るためには、第一設定時間を再設定する必要がある。本態様では、ユーザは、報知部が報知状態を維持できることによって第一設定時間の設定状態が分かるので、設定状態の確認のため第一設定時間を再設定する必要がない。
【００１２】
請求項２に係る発明のガスコンロによれば、請求項１に記載の発明の効果に加え、ユーザは、筐体に設けられたスイッチに対して操作を行うという簡易な手順によって、第一設定時間を変更することができる。スイッチが操作される度に、第一設定時間には、第一時間と第二時間とが交互に設定される。仮に、第一設定時間として任意の時間を設定する場合、分刻み、あるいは１０分刻みなどで設定したい時間を調整するといった、手順が複雑な操作が必要である。本態様のガスコンロは、スイッチに対する簡単な操作で、第一設定時間の設定を行うことができる。
【００１３】
請求項３に係る発明のガスコンロによれば、請求項１又は２に記載の発明の効果に加え、ユーザは、筐体にすでに設けられている操作つまみを用いた所定手順の操作によって、第一設定時間を変更することができる。筐体に新たな操作部を設ける必要がないので、ガスコンロの生産コストの増加を抑制することができる。
【００１４】
請求項４に係る発明のガスコンロによれば、請求項１から３のいずれかに記載の発明の効果に加え、ガスコンロは、第一設定時間の設定状態を記憶し、且つ電力の供給がない状態でも記憶状態を維持できる。そして、第一設定時間の設定状態は、第一タイマの作動時に復帰する。故にユーザは、ガスコンロを使用する度に第一設定時間を設定し直す必要がなく、わずらわしさがない。
【００１５】
請求項５に係る発明のガスコンロによれば、請求項１から４のいずれかに記載の発明の効果に加え、仮に、操作部が操作された状態から非操作の状態に復帰できなくなった場合、操作部に対する操作が第二設定時間継続すると、第一設定時間に第一時間が設定される。すなわち、操作部に故障が生じた場合、第一設定時間として設定可能な最大時間が設定される。故にユーザは、ガスコンロを使用する上で第一設定時間として設定可能な最大時間に至る前に自動消火されるという制限を受けない。よってガスコンロは、操作部が故障した場合でも、使い勝手の良さを確保することができる。
【図面の簡単な説明】
【００１６】
【図１】ガスコンロ１の斜視図である。
【図２】ガスコンロ１の電気的構成を示すブロック図である。
【図３】自動消火処理のフローチャート（１／３）である。
【図４】自動消火処理のフローチャート（２／３）である。
【図５】自動消火処理のフローチャート（３／３）である。
【図６】設定変更処理のフローチャート（１／４）である。
【図７】設定変更処理のフローチャート（２／４）である。
【図８】設定変更処理のフローチャート（３／４）である。
【図９】設定変更処理のフローチャート（４／４）である。
【発明を実施するための形態】
【００１７】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１８】
図１を参照し、ガスコンロ１について説明する。ガスコンロ１は、テーブルコンロである。ガスコンロ１は筐体２と天板３を備える。筐体２は上部が開口し、開口部分に天板３が設置される。天板３において、右手前には右バーナ４が設けられ、左手前には左バーナ５が設けられる。右バーナ４、左バーナ５の夫々の側面には多数の炎孔が設けられる。右バーナ４、左バーナ５の夫々の炎孔の近傍には、イグナイタ４Ａ，５Ａ（図２参照）の点火電極と、熱電対４Ｂ，５Ｂ（図２参照）が、炎孔に臨むように設置される。イグナイタ４Ａ，５Ａは、駆動することにより点火電極においてスパーク放電を発生し、炎孔から噴出されるガスに点火する。熱電対４Ｂ，５Ｂは、炎孔に形成される火炎により加熱されて熱起電力を発生する。故にガスコンロ１は、熱電対４Ｂ，５Ｂに発生する熱起電力に基づき、右バーナ４及び左バーナ５における失火を検出できる。
【００１９】
天板３の上面後端側の左右方向の略中央部には、グリル排気口７が設けられる。グリル排気口７は、筐体２内に設置されたグリル庫（図示略）内の燃焼によって生じた燃焼ガスを外部に排出する。筐体２の前面２１の左右方向の略中央部には、グリル用の開口部２５が設けられる。開口部２５には、グリル扉３０が前後方向に移動可能に設けられる。グリル扉３０は、グリル庫の前側開口部分を開閉する。
【００２０】
筐体２の前面２１において、グリル扉３０の右側には、操作つまみ１１，１３が設けられる。グリル扉３０の左側には、操作つまみ１２が設けられる。操作つまみ１１〜１３は、押し回し式である。操作つまみ１１は、右バーナ４を点火する場合に、正面視反時計回りに約９０度、押し回しされる。点火後は、時計回りに回動されることによって、火力が大火力から小火力に調節される。操作つまみ１１を点火前の位置（消火位置）に戻すと、右バーナ４が消火される。なお、操作つまみ１２と操作つまみ１３の操作方法は、操作つまみ１１と同じである。操作つまみ１２は、左バーナ５を点火する場合に押し回しされる。操作つまみ１３は、グリル庫内に設けられるグリルバーナ（図示略）を点火する場合に押し回しされる。なお、グリルバーナの詳細については説明を省略する。
【００２１】
操作つまみ１３の左側には、電池ボックス１７が設けられる。電池ボックス１７は、ガスコンロ１に電源を供給する乾電池１２５（図２参照）を格納する。電池ボックス１７の直上には、乾電池１２５の電圧低下等を報知するＬＥＤ１４が設けられる。ＬＥＤ１４は、後述する自動消火処理において、自動消火が行われた場合の報知にも用いられるので、便宜上、消火報知ＬＥＤ１４と呼ぶ場合もある。電池ボックス１７の上側には、切替スイッチ１５が設けられる。切替スイッチ１５にはＬＥＤ１５Ａが組み込まれ、切替スイッチ１５の操作に応じて点灯又は消灯する。詳細は後述するが、切替スイッチ１５は、右バーナ４及び左バーナ５が自動消火するまでの時間設定の変更に用いられる。ＬＥＤ１５Ａは、消火時間の設定状態の報知に用いられるので、便宜上、設定報知ＬＥＤ１５Ａと呼ぶ場合もある。
【００２２】
次に、ガスコンロ１の電気的な構成について説明する。ガスコンロ１は、制御回路１００を備える。制御回路１００は、ＣＰＵ１０１、ＲＯＭ１０２、ＲＡＭ１０３、フラッシュメモリ１０４、タイマ１０５に加え、図示しない、Ｉ／Ｏインタフェイス等を備える。ＣＰＵ１０１はガスコンロ１の各種動作を統括制御する。ＲＯＭ１０２は、自動消火処理（図３参照）を含む、ガスコンロ１の各種プログラムを記憶する。ＲＡＭ１０３は、各種情報を一時的に記憶する。フラッシュメモリ１０４は、自動消火処理で使用される早期消火フラグを含む各種データを記憶し、制御回路１００に電力の供給がなくてもデータの記憶を維持する。タイマ１０５はプログラムで作動するものである。タイマ１０５は、後述する自動消火処理において消火時間を計時する消火タイマ、監視時間を計時する監視タイマ、報知時間を計時する報知タイマを含む。
【００２３】
制御回路１００には、失火検出回路１１２、電磁弁回路１１７、イグナイタ回路１１８、電源回路１２０、スイッチ入力回路１１１、音声出力回路１２１、ＬＥＤドライバ回路１１５等が接続される。
【００２４】
失火検出回路１１２は、熱電対４Ｂ、５Ｂが発生する熱起電力に基づき右バーナ４及び左バーナ５の失火を検出し、制御回路１００に入力する。熱電対４Ｂ，５Ｂが発生する熱起電力は、安全弁回路１１６に入力される。安全弁回路１１６は、安全弁４８の開閉状態を制御する。安全弁４８は、右バーナ４、左バーナ５の夫々にガスを供給するガス供給管（図示略）に設けられる。安全弁４８は、操作つまみ１１，１２の押し回し時の押し込み動作により機械的に開放される。安全弁回路１１６は、右バーナ４、左バーナ５の着火により加熱される熱電対４Ｂ，５Ｂが発生する熱起電力によって電磁石を作動し、安全弁４８を開放状態に維持する。右バーナ４、左バーナ５が失火すると熱起電力が失われ、安全弁４８はバネ（図示略）の付勢力により閉鎖される。
【００２５】
電磁弁回路１１７は、ＣＰＵ１０１の制御に基づき、電磁弁１１９を開閉する。電磁弁１１９は、ガス遮断用キープソレノイドバルブである。電磁弁１１９は、右バーナ４、左バーナ５の夫々にガスを供給するガス供給管において、安全弁４８よりも右バーナ４、左バーナ５側に設けられる。電磁弁１１９は通電によって開放又は閉鎖され、内蔵する永久磁石の磁力により、開放状態又は閉鎖状態に維持される。イグナイタ回路１１８は、ＣＰＵ１０１が出力する制御信号に基づき、イグナイタ４Ａ、５Ａを各々駆動する。
【００２６】
スイッチ入力回路１１１には、点火スイッチ１８、イグナイタスイッチ１９、切替スイッチ１５が接続する。点火スイッチ１８は、操作つまみ１１〜１３の操作に連動してオン・オフされる。スイッチ入力回路１１１は点火スイッチ１８の状態を検出し、電源回路１２０と制御回路１００に入力する。電源回路１２０は、いずれかの操作つまみ１１〜１３の点火スイッチ１８がオンの場合に、電池ボックス１７に収容される乾電池１２５から供給される電力を各種回路に供給する。制御回路１００は、電源回路１２０から電力が供給されると作動し、電力の供給が途絶えると動作を停止する。
【００２７】
イグナイタスイッチ１９は、操作つまみ１１〜１３の操作に連動してオン・オフされる。イグナイタスイッチ１９は、操作つまみ１１〜１３が押し回される過程で、点火スイッチ１８がオンになった後にオンになり、操作つまみ１１〜１３が回し戻される過程で、点火スイッチ１８がオフになるよりも先にオフになる。制御回路１００は、イグナイタスイッチ１９がオンになると、夫々に対応する電磁弁１１９を開放し、夫々に対応するイグナイタ４Ａ，５Ａを作動する。なお、制御回路１００は、イグナイタ４Ａ，５Ａを所定時間（例えば１０秒）駆動するか、イグナイタスイッチ１９がオフになると、イグナイタ４Ａ，５Ａの駆動を終了する。また、イグナイタスイッチ１９がオフになると、制御回路１００は、夫々に対応する電磁弁１１９を閉鎖する。
【００２８】
切替スイッチ１５は、後述する自動消火処理で消火時間の設定に用いられる。スイッチ入力回路１１１は切替スイッチ１５の状態を検出し、制御回路１００に伝達する。
【００２９】
音声出力回路１２１は、筐体２内に設けられるスピーカ１２２から音声の出力を制御する。後述する自動消火処理では、例えば自動消火時に消火音「ピーピーピー」がスピーカ１２２から発音される。また、自動消火処理では音声の出力においてメロディが奏でられる場合もある。ＬＥＤドライバ回路１１５は、ＬＥＤ１４，１５Ａの点灯及び消灯を制御する。
【００３０】
次に、自動消火処理について説明する。自動消火処理は、右バーナ４、左バーナ５に着火してから所定の消火時間が経過したときに、ＣＰＵ１０１が右バーナ４、左バーナ５を消火する処理である。自動消火処理において、ユーザは、消火時間として、１２０分又は３０分を設定することができる。なお、消火時間のデフォルト設定は、１２０分である。消火時間の設定は、切替スイッチ１５を押すという簡易な操作によって行うことができる。具体的に、消火時間に１２０分が設定されているとき、設定報知ＬＥＤ１５Ａは消灯している。ユーザが切替スイッチ１５を押すと、消火時間が３０分に設定され、設定報知ＬＥＤ１５Ａが点灯する。ユーザがもう一度、切替スイッチ１５を押すと、消火時間が１２０分に設定され、設定報知ＬＥＤ１５Ａが消灯する。
【００３１】
図３〜図５を参照し、自動消火処理の動作の詳細について説明する。ユーザが、例えば右バーナ４を点火するため、操作つまみ１１を押し回しする。操作つまみ１１が押し込まれると、安全弁４８が開放される。次いで操作つまみ１１が正面視反時計回りに回される過程で、点火スイッチ１８がオンになる。乾電池１２５から制御回路１００に電力が供給され、ＣＰＵ１０１が駆動する。ＣＰＵ１０１は、点火スイッチ１８がオンになることを契機に、自動消火処理を含む各種制御処理を並行して実行する。
【００３２】
図３に示すように、自動消火処理において、ＣＰＵ１０１はイグナイタスイッチ１９がオンになるのを待機する（Ｓ１：ＮＯ）。ユーザが操作つまみ１１を押し回しする過程で、点火スイッチ１８に続いてイグナイタスイッチ１９もオンになる（Ｓ１：ＹＥＳ）。ＣＰＵ１０１は電磁弁１１９に通電し、電磁弁１１９を開放する（Ｓ２）。電磁弁１１９は通電終了後も開放状態に維持される。ＣＰＵ１０１はイグナイタ４Ａを作動する（Ｓ３）。安全弁４８と電磁弁１１９が開放されているので、右バーナ４にはガスが供給される。イグナイタ回路１１８はイグナイタ４Ａを所定時間駆動し、右バーナ４に点火する。右バーナ４が着火すると熱電対４Ｂが加熱されることによって熱起電力が生ずるので、ユーザが操作つまみ１１から手を離しても、安全弁４８は開放状態に維持される。
【００３３】
ＣＰＵ１０１は、フラッシュメモリ１０４に記憶する早期消火フラグがオンであるか否かを判断する（Ｓ５）。早期消火フラグは、右バーナ４、左バーナ５が自動消火するまでの消火時間の設定状態を記憶するフラグである。早期消火フラグがオンの場合（Ｓ５：ＹＥＳ）、消火時間を３０分に設定し（Ｓ６）、設定報知ＬＥＤ１５Ａを点灯して（Ｓ７）、処理をＳ１１（図４参照）に移行する。早期消火フラグがオフの場合（Ｓ５：ＮＯ）、消火時間を１２０分に設定し（Ｓ８）、処理をＳ１１に移行する。すなわち、ユーザが以前に設定した消火時間の設定状態が保持されており、着火時の消火時間として適用される。
【００３４】
図４に示すように、ＣＰＵ１０１は消火タイマを作動し、消火時間の計時を開始する（Ｓ１１）。ＣＰＵ１０１は、切替スイッチ１５に対する操作がなされずオフである場合（Ｓ１２：ＮＯ）、消火時間の経過を判断する（Ｓ１３）。消火時間が経過していない場合（Ｓ１３：ＮＯ）、消火タイマが計時開始から１０秒経過する前は、右バーナ４への着火直後であり、熱電対４Ｂが十分に昇温していないので、そのまま処理をＳ１７に移行する（Ｓ１５：ＮＯ）。１０秒以上経過した後は（Ｓ１５：ＹＥＳ）、失火検出回路１１２が失火を検出しなければ（Ｓ１６：ＮＯ）、処理をＳ１７に移行する。操作つまみ１１が回し戻されずイグナイタスイッチ１９がオンの状態に維持されていれば（Ｓ１７：ＮＯ）、処理をＳ１２に戻し、Ｓ１２〜Ｓ１７の判断処理を繰り返し行うことで、右バーナ４の燃焼を継続する。
【００３５】
ユーザが右バーナ４を消火するため、操作つまみ１１を消火位置に回し戻すと、その過程でイグナイタスイッチ１９がオフになる（Ｓ１７：ＹＥＳ）。ＣＰＵ１０１は電磁弁１１９に通電し、電磁弁１１９を閉鎖すると（Ｓ１８）、自動消火処理を終了する。電磁弁１１９は通電終了後も閉鎖状態に維持される。右バーナ４へのガスの供給が停止され、右バーナ４は消火する。熱電対４Ｂの熱起電力が失われるので、安全弁４８も閉鎖される。操作つまみ１１が消火位置に戻るときには点火スイッチ１８がオフになり、電源回路１２０は制御回路１００への電力の供給を停止する。
【００３６】
一方、右バーナ４の燃焼中に消火タイマが消火時間の経過を計時した場合（Ｓ１３：ＹＥＳ）、ＣＰＵ１０１は電磁弁１１９に通電し、電磁弁１１９を閉鎖する（Ｓ２１）。右バーナ４の消火によって熱電対４Ｂの熱起電力が失われ、安全弁４８が閉鎖される。ＣＰＵ１０１は、報知タイマを作動し、報知時間の計時を開始する（Ｓ２２）。消火時間の経過に伴う自動消火が行われた後は、操作つまみ１１は消火位置にない。ＣＰＵ１０１は、ユーザに対し、自動消火が行われたことを報知時間が経過する度に繰り返し報知することによって、操作つまみ１１を消火位置に回し戻すこと促す。報知時間は、予め、例えば１分が設定されている。
【００３７】
ＣＰＵ１０１は、消火報知ＬＥＤ１４を１回点滅し（Ｓ２３）、スピーカ１２２から消火音として「ピーピーピー」と音を鳴らす（Ｓ２５）。ユーザによる操作つまみ１１に対する操作が行われず、点火スイッチ１８がオンであれば（Ｓ２６：ＮＯ）、報知時間が経過するまで待機する（Ｓ２７：ＮＯ、Ｓ２６）。報知時間が経過した場合はＳ２２に戻り（Ｓ２７：ＹＥＳ）、報知タイマをリスタートし（Ｓ２２）、消火報知ＬＥＤ１４の点滅と消火音による報知を行って（Ｓ２３、Ｓ２５）、報知時間の経過を待機する（Ｓ２６：ＮＯ、Ｓ２７：ＮＯ、Ｓ２６）。ユーザが操作つまみ１１を消火位置に回し戻し、点火スイッチ１８がオフになると（Ｓ２６：ＹＥＳ）、ＣＰＵ１０１は自動消火処理を終了する。電源回路１２０は制御回路１００への電力の供給を停止する。
【００３８】
また、右バーナ４の燃焼中に、例えば煮こぼれや風等により右バーナ４が失火した場合（Ｓ１５：ＹＥＳ）、ＣＰＵ１０１は処理をＳ２１に移行し、消火時間の経過に伴う自動消火時と同様の処理を行う。ユーザによって操作つまみ１１が消火位置に回し戻されると、自動消火処理を終了する。
【００３９】
一方、右バーナ４の燃焼中に、切替スイッチ１５に対する操作がなされてオンになった場合（Ｓ１２：ＹＥＳ）、図５に示すように、ＣＰＵ１０１は、監視タイマを作動し、監視時間の計時を開始する（Ｓ３１）。監視タイマは、切替スイッチ１５の操作による消火時間の設定が正常に行われたか否かを監視時間が経過する度に判断するために用いられる。監視時間は、予め、例えば２０秒が設定されている。
【００４０】
ＣＰＵ１０１は、早期消火フラグがオンであるか否かを判断する（Ｓ３２）。消火時間が３０分に設定されており早期消火フラグがオンの場合（Ｓ３２：ＹＥＳ）、消火時間を１２０分に設定し（Ｓ３６）、早期消火フラグをオフにする（Ｓ３７）。設定報知ＬＥＤ１５Ａを消灯し（Ｓ３８）、スピーカ１２２から解除音として「ピピピピピ」と音を鳴らして（Ｓ４０）、処理をＳ５１に移行する。一方、消火時間が１２０分に設定されており早期消火フラグがオフの場合は（Ｓ３２：ＮＯ）、消火時間を３０分に設定し（Ｓ４１）、早期消火フラグをオンにする（Ｓ４２）。設定報知ＬＥＤ１５Ａを点灯し（Ｓ４３）、スピーカ１２２から設定音としてメロディを鳴らして（Ｓ４５）、処理をＳ５１に移行する。
【００４１】
ＣＰＵ１０１は、Ｓ５１の判断において、切替スイッチ１５が押されたままの状態であってオンであれば（Ｓ５１：ＮＯ）、消火時間が経過したか否か判断する（Ｓ５２）。消火時間が経過していない場合（Ｓ５２：ＮＯ）、消火タイマが計時開始から１０秒経過する前は、右バーナ４への着火直後であるので、そのまま処理をＳ５６に移行する（Ｓ５３：ＮＯ）。１０秒以上経過した後は（Ｓ５３：ＹＥＳ）、失火検出回路１１２が失火を検出しなければ（Ｓ５５：ＮＯ）、処理をＳ５６に移行する。Ｓ５６の判断において、点火スイッチ１８がオンの状態に維持されていれば（Ｓ５６：ＮＯ）、監視時間が経過したか否か判断する（Ｓ５７）。監視時間が経過していなければ（Ｓ５７：ＮＯ）、処理をＳ５１に戻し、Ｓ５１〜Ｓ５７の判断を繰り返す。
【００４２】
監視時間が経過する前に、切替スイッチ１５がオフになれば（Ｓ５１：ＹＥＳ）、ＣＰＵ１０１は、切替スイッチ１５の操作による消火時間の設定が正常に行われたものとして、処理をＳ１３（図４参照）に移行する。ＣＰＵ１０１は、前述したＳ１２〜Ｓ１７の判断処理を繰り返しつつ、消火時間の経過又は失火による自動消火、あるいはユーザの操作による消火を待機する。また、監視時間が経過する前に、消火時間が経過した場合（Ｓ５２：ＹＥＳ）、もしくは失火が検出された場合（Ｓ５５：ＹＥＳ）、ＣＰＵ１０１は処理をＳ２１（図４参照）に移行し、自動消火時の処理を行う。また、監視時間が経過する前に、ユーザが操作つまみ１１を消火位置に回し戻し、その過程でイグナイタスイッチ１９がオフになると（Ｓ５６：ＹＥＳ）。ＣＰＵ１０１は処理をＳ１８（図４参照）に移行し、電磁弁１１９を閉鎖して（Ｓ１８）、自動消火処理を終了する。
【００４３】
切替スイッチ１５がオンの状態のまま監視時間が経過した場合（Ｓ５７：ＹＥＳ）、ＣＰＵ１０１は監視タイマをリスタートし（Ｓ５８）、処理をＳ３６に移行する。例えば、煮汁等の付着により切替スイッチ１５が押された状態で固着し、オンからオフに戻らない場合（いわゆる「オン故障」が発生する場合）がある。あるいは、異物等が切替スイッチ１５に接触し、切替スイッチ１５が押しっぱなしの状態となる場合がある。このような場合、ＣＰＵ１０１は、消火時間を１２０分に再設定し（Ｓ３６）、早期消火フラグをオフにすることによって（Ｓ３７）、消火時間の設定をデフォルト設定にする。そして設定報知ＬＥＤ１５Ａを消灯し（Ｓ３８）、スピーカ１２２から解除音を鳴らすことによって（Ｓ４０）、ユーザに報知する。監視タイマがリスタートすることによって、監視時間が経過する度に繰り返し、ユーザへの報知が行われる。このように、オン故障等の発生時にデフォルト設定が適用されることによって、設定報知ＬＥＤ１５Ａが消灯状態となるため、ガスコンロ１は、乾電池１２５の電力消費を抑えつつも、定期的な解除音の発音により、ユーザへの報知を継続して行うことができる。切替スイッチ１５が押された状態から復帰してオフになれば（Ｓ５１：ＹＥＳ）、上記したように処理をＳ１３に移行し、自動消火又はユーザによる消火を待機する。
【００４４】
以上説明したように、設定報知ＬＥＤ１５Ａの点灯状態又は消灯状態によって消火時間の設定状態の報知が維持されるので、ユーザは、消火時間として１２０分又は３０分のいずれが設定されているかを容易に確認することができる。仮に、設定報知ＬＥＤ１５Ａがなければ、ユーザは、消火時間を設定するときに１２０分又は３０分のいずれを設定したか、覚えていなければならない。もし忘れてしまえば、消火時間の設定状態を知るためには、消火時間を再設定する必要がある。本実施形態では、ユーザは、設定報知ＬＥＤ１５Ａによって消火時間の設定状態が分かるので、設定状態の確認のため消火時間を再設定する必要がない。
【００４５】
ユーザは、筐体に設けられた切替スイッチ１５に対して操作を行うという簡易な手順によって、消火時間を変更することができる。切替スイッチ１５が操作される度に、消火時間には、１２０分と３０分とが交互に設定される。仮に、消火時間として任意の時間を設定する場合、分刻み、あるいは１０分刻みなどで設定したい時間を調整するといった、手順が複雑な操作が必要である。本実施形態のガスコンロ１は、切替スイッチ１５を押すだけという簡単な操作で、消火時間の設定を行うことができる。
【００４６】
ガスコンロは、消火時間の設定状態をフラッシュメモリ１０４に記憶することによって、電力の供給がない状態でも記憶状態を維持できる。そして、消火時間の設定状態は、消火タイマの作動時にフラッシュメモリ１０４から読み出されることによって復帰する。故にユーザは、ガスコンロを使用する度に消火時間を設定し直す必要がなく、わずらわしさがない。
【００４７】
仮に、切替スイッチ１５が押された状態で固着し、もとの状態に復帰できなくなった場合、切替スイッチ１５に対する操作が監視時間継続すると、消火時間にデフォルト設定である１２０分が設定される。すなわち、切替スイッチ１５に故障が生じた場合、消火時間として設定可能な最大時間が設定される。故にユーザは、ガスコンロを使用する上で消火時間として設定可能な最大時間に至る前に自動消火されるという制限を受けない。よってガスコンロは、切替スイッチ１５が故障した場合でも、使い勝手の良さを確保することができる。
【００４８】
なお、本発明は上記実施形態に限定されるものではなく、種々の変更が可能である。消火時間の設定状態は、設定報知ＬＥＤ１５Ａが点灯状態又は消灯状態に維持されることによって、いつでも確認することができた。設定報知ＬＥＤ１５Ａに限らず、音声の発音状態が維持されるようにしてもよい。あるいは、設定状態に応じた音声の発生を着火時に行うことで、常時音声が発音する状態でなくてもよい。もしくは、表示状態を常時確認できる表示板等を設定状態に応じてソレノイド等によって作動し、表示状態を切り替えてもよい。また、表示画面を有するガスコンロであれば、文字、図形、アイコン等により設定状態を表示してもよい。
【００４９】
消火時間は１２０分と３０分に限らず、適宜変更可能である。また、消火時間の設定も２種類に限らず、３種類以上あってもよい。また、設定報知ＬＥＤ１５Ａは、消火時間が１２０分の場合に点灯し、３０分の場合に消灯してもよい。切替スイッチ１５は、例えば右バーナ４による調理容器等の最大加熱温度の設定を変更する高温炒めボタン等と兼用であってもよい。
【００５０】
消火時間は、例えば操作つまみ１２等、ガスコンロ１の筐体２が備える別用途のボタン、スイッチ等を用い、所定手順による操作を行うことで設定してもよい。一例として、図６〜図９を参照し、自動消火処理の変形例である設定変更処理について説明する。本変形例に係る設定変更処理では、消火時間の設定変更を行う場合、左バーナ５の操作つまみ１２と高温炒めボタンを所定手順に従って操作する。具体的に、第一の手順として操作つまみ１２を押し回し、第二の手順として操作つまみ１２を消火位置に回し戻した後、第三の手順として高温炒めボタンを３秒長押しすることによって、消火時間の設定が切り替わる。高温炒めボタンは、右バーナ４による調理容器等の最大加熱温度の設定を変更するためのボタンであり、グリルバーナ用の操作つまみ１３の上側に設けられる。
【００５１】
設定変更処理によって消火時間の設定変更は、ガスコンロ１に供給するガスの元栓を閉じた状態で行う。消火時間の設定変更における第一の手順は、操作つまみ１２を押し回す操作である。ユーザが操作つまみ１２を押し回すと、安全弁４８が開放され、点火スイッチ１８がオンになり、ＣＰＵ１０１が駆動する。ＣＰＵ１０１は、点火スイッチ１８がオンになることを契機に、設定変更処理を含む各種制御処理を並行して実行する。
【００５２】
図５に示すように、設定変更処理において、ＣＰＵ１０１はイグナイタスイッチ１９がオンになるのを待機する（Ｓ１０１：ＮＯ）。点火スイッチ１８に続いてイグナイタスイッチ１９もオンになると（Ｓ１０１：ＹＥＳ）、電磁弁１１９を開放し（Ｓ１０２）、イグナイタ４Ａを作動する（Ｓ１０３）。安全弁４８と電磁弁１１９は開放されているが、ガスの元栓が閉じられているので、左バーナ５にはガスが供給されず、点火しない。一方、ガスコンロ１の通常使用時においても、設定変更処理は実行される。この場合はガスの元栓が開いており、左バーナ５にガスが供給されるので点火する。
【００５３】
早期消火フラグがオンの場合（Ｓ１０５：ＹＥＳ）、ＣＰＵ１０１は消火時間を３０分に設定し（Ｓ１０６）、消火報知ＬＥＤ１４を点灯し（Ｓ１０７）、スピーカ１２２からメロディを鳴らし（Ｓ１０８）、処理をＳ１１６に移行する。早期消火フラグがオフの場合（Ｓ１０５：ＮＯ）、ＣＰＵ１０１は消火時間を１２０分に設定し（Ｓ１１１）、消火報知ＬＥＤ１４を点滅し（Ｓ１１２）、スピーカ１２２から解除音を鳴らし（Ｓ１１３）、処理をＳ１１６に移行する。なお、消火報知ＬＥＤ１４は、例えば５秒後に消灯する。
【００５４】
ＣＰＵ１０１は、消火タイマと変更タイマを作動する（Ｓ１１６、Ｓ１１７）。変更タイマが計時する変更時間は、操作つまみ１２等による所定手順の操作を受け付ける時間である。消火時間の設定変更における第二の手順は、操作つまみ１２を押し回してから１０秒以内に、操作つまみ１２を消火位置に回し戻す操作である。変更時間は１０秒に設定される。図７に示すように、操作つまみ１２が消火位置になく、回し戻しの過程でオフになるイグナイタスイッチ１９がオンに維持されている場合（Ｓ１２１：ＮＯ）、ＣＰＵ１０１は、変更時間の経過を待機する（Ｓ１２２：ＮＯ、Ｓ１２１）。
【００５５】
操作つまみ１２が消火位置に回し戻されずに変更時間が経過した場合（Ｓ１２２：ＹＥＳ）、消火時間の設定変更は行われない。ガスコンロ１の通常使用時であれば左バーナ５が着火しているので、Ｓ１２３〜Ｓ１３７の処理によって、消火時間の経過又は失火による自動消火時、あるいはユーザの操作による消火時の処理が行われる。
【００５６】
具体的に、消火時間の経過前で（Ｓ１２３：ＮＯ）、失火が検出されず（Ｓ１２５：ＮＯ）、イグナイタスイッチ１９がオンの状態に維持されていれば（Ｓ１２６：ＮＯ）、ＣＰＵ１０１は処理をＳ１２３に戻し、左バーナ５の燃焼を継続する。ユーザが操作つまみ１２を消火位置に回し戻し、その過程でイグナイタスイッチ１９がオフになると（Ｓ１２６：ＹＥＳ）、電磁弁１１９を閉鎖して左バーナ５を消火し（Ｓ１２７）、自動消火処理を終了する。左バーナ５の消火に伴い、安全弁４８も閉鎖される。操作つまみ１１が消火位置に戻るときには点火スイッチ１８がオフになり、電源回路１２０は制御回路１００への電力の供給を停止する。
【００５７】
一方、左バーナ５の燃焼中に、消火時間が経過した場合（Ｓ１２３：ＹＥＳ）、あるいは左バーナ５が失火した場合（Ｓ１２５：ＹＥＳ）、ＣＰＵ１０１は、電磁弁１１９を閉鎖する（Ｓ１３１）。左バーナ５の消火に伴い、安全弁４８も閉鎖される。ＣＰＵ１０１は、報知時間（例えば１分）の計時を開始し（Ｓ１３２）、消火報知ＬＥＤ１４を１回点滅し（Ｓ１３３）、スピーカ１２２から消火音を鳴らす（Ｓ１３５）。ユーザが操作つまみ１２を消火位置に戻さず点火スイッチ１８がオンであれば（Ｓ１３６：ＮＯ）、報知時間が経過するまで待機する（Ｓ１３７：ＮＯ、Ｓ１３６）。報知時間が経過した場合はＳ１３２に戻り（Ｓ１３７：ＹＥＳ）、報知タイマをリスタートし（Ｓ１３２）、消火報知ＬＥＤ１４の点滅と消火音による報知を行って（Ｓ１３３、Ｓ１３５）、報知時間の経過を待機する（Ｓ１３６：ＮＯ、Ｓ１３７：ＮＯ、Ｓ１３６）。ユーザが操作つまみ１２を消火位置に回し戻して点火スイッチ１８がオフになると（Ｓ１３６：ＹＥＳ）、ＣＰＵ１０１は自動消火処理を終了する。電源回路１２０は制御回路１００への電力の供給を停止する。
【００５８】
Ｓ１２６の判断で、操作つまみ１２が押し回されてから変更時間（１０秒）以内に消火位置に回し戻された場合（Ｓ１２１：ＹＥＳ）、消火時間の設定変更における第二の手順が成立する。操作つまみ１２を回し戻す操作は、ガスコンロ１の通常使用における消火処理である場合もある。図８に示すように、ＣＰＵ１０１は電磁弁１１９を閉鎖する（Ｓ１４１）。左バーナ５が燃焼状態であれば消火され、安全弁４８も閉鎖する。ＣＰＵ１０１は、電源回路１２０から電力の供給が停止される前に、電力の供給元をバックアップ電源に切り換える（Ｓ１４２）。バックアップ電源は、例えば電源回路１２０に搭載されるコンデンサ（図示略）であり、点火スイッチ１８がオンのときに充電される。
【００５９】
ＣＰＵ１０１は、バックアップ電源から電力の供給を受けて、変更タイマをリスタートする（Ｓ１４３）。消火時間の設定変更における第三の手順は、操作つまみ１２を回し戻してから１０秒以内に、高温炒めボタンを３秒以上長押しする操作である。よって変更時間は１０秒に設定される。
【００６０】
高温炒めボタンが操作されずにオフであれば（Ｓ１４５：ＮＯ）、ＣＰＵ１０１は、変更時間の経過を待機する（Ｓ１４６：ＮＯ、Ｓ１４５）。高温炒めボタンが操作されないまま変更時間が経過した場合（Ｓ１４６：ＹＥＳ）、ＣＰＵ１０１は消火時間の設定変更を行わず、バックアップ電源からの給電を停止して（Ｓ１４７）、自動消火処理を終了する。
【００６１】
操作つまみ１２が回し戻されてから変更時間（１０秒）以内に高温炒めボタンが操作されオンになった場合（Ｓ１４３：ＹＥＳ）、ＣＰＵ１０１は変更タイマをリスタートする（Ｓ１５１）。変更時間は３秒に設定される。ＣＰＵ１０１は、高温炒めボタンが長押しされてオンに維持されていれば（Ｓ１５２：ＮＯ）、変更時間の経過を待機する（Ｓ１５３：ＮＯ、Ｓ１５２）。変更時間が経過する前に高温炒めボタンの長押しが中断されてオフになった場合（Ｓ１５２：ＹＥＳ）、ＣＰＵ１０１は消火時間の設定変更を行わず、バックアップ電源からの給電を停止して（Ｓ１４７）、自動消火処理を終了する。
【００６２】
高温炒めボタンの長押しが変更時間（３秒）以上継続した場合（Ｓ１５３：ＹＥＳ）、消火時間を変更するための所定手順が成立する。ＣＰＵ１０１は、早期消火フラグがオンの場合（Ｓ１５５：ＹＥＳ）、消火時間を１２０分に設定し（Ｓ１６１）、早期消火フラグをオフにする（Ｓ１６２）。消火報知ＬＥＤ１４を点滅し（Ｓ１６３）、スピーカ１２２から解除音を鳴らして（Ｓ１６５）、処理をＳ１８１（図９参照）に移行する。一方、消火時間が１２０分に設定されており早期消火フラグがオフの場合は（Ｓ１５５：ＮＯ）、消火時間を３０分に設定し（Ｓ１７１）、早期消火フラグをオンにする（Ｓ１７２）。消火報知ＬＥＤ１４を点灯し（Ｓ１７３）、スピーカ１２２から設定音としてメロディを鳴らして（Ｓ１７５）、処理をＳ１８１に移行する。
【００６３】
図９に示すように、ＣＰＵ１０１は監視タイマを作動する（Ｓ１８１）。消火時間の設定が変更されても高温炒めボタンがオフにならなければ（Ｓ１８２：ＮＯ）、監視時間が経過するまで待機する（Ｓ１８３：ＮＯ、Ｓ１８２）。監視時間が経過する前に高温炒めボタンがオフになれば（Ｓ１８２：ＹＥＳ）、消火時間の変更が正常に行われたものとして、バックアップ電源からの給電を停止し（Ｓ１９６）、自動消火処理を終了する。
【００６４】
高温炒めボタンがオンの状態のまま監視時間が経過した場合（Ｓ１８３：ＹＥＳ）、ＣＰＵ１０１は消火時間を１２０分に再設定し（Ｓ１９１）、早期消火フラグをオフにすることによって（Ｓ１９２）、消火時間の設定をデフォルト設定にする。また、消火報知ＬＥＤ１４を点滅し（Ｓ１９３）、スピーカ１２２から解除音を鳴らすことによって（Ｓ１９５）、ユーザに報知する。ＣＰＵ１０１は、バックアップ電源からの給電を停止し（Ｓ１９６）、自動消火処理を終了する。
【００６５】
以上のように、本変形例では、ユーザは、操作つまみ１２を用いた所定手順の操作によって、消火時間を変更することができる。ガスコンロ１が備える操作つまみ１２と高温炒めボタンを用いて消火時間の設定を変更することによって、筐体２に新たなスイッチ等を設ける必要がないので、ガスコンロ１の生産コストの増加を抑制することができる。
【００６６】
なお、本変形例においては、本実施形態の切替スイッチ１５はなくてもよい。また、ガスコンロ１に切替スイッチ１５を設けた場合であれば、高温炒めボタンの代わりに切替スイッチ１５を用いて消火時間の設定を変更してもよい。あるいは、その他のスイッチ等を用いてもよいし、もしくは、操作つまみ１１と操作つまみ１２を用いて所定手順の操作を行うことにより、消火時間の設定を変更できるようにしてもよい。
【００６７】
上記説明において、右バーナ４、左バーナ５が本発明の「バーナ」の一例である。電磁弁１１９が本発明の「開閉弁」の一例である。消火時間が本発明の「第一設定時間」の一例である。消火タイマが本発明の「第一タイマ」の一例である。Ｓ２１の処理を行うＣＰＵ１０１が本発明の「弁閉鎖手段」の一例である。切替スイッチ１５が本発明の「操作部」の一例である。本発明の「第一時間」の一例は１２０分であり、本発明の「第二時間」の一例は３０分である。Ｓ３６及びＳ４１の処理を行うＣＰＵ１０１が本発明の「第一設定手段」の一例である。設定報知ＬＥＤ１５Ａが本発明の「報知部」の一例である。本発明の「第一形態」の一例は設定報知ＬＥＤ１５Ａの消灯状態であり、本発明の「第二形態」の一例は設定報知ＬＥＤ１５Ａの点灯状態である。Ｓ３８及びＳ４３の処理を行うＣＰＵ１０１が本発明の「報知制御手段」の一例である。フラッシュメモリ１０４が本発明の「記憶部」の一例である。Ｓ５及びＳ６の処理を行うＣＰＵ１０１が本発明の「第二設定手段」の一例である。監視時間が本発明の「第二設定時間」の一例である。監視タイマが本発明の「第二タイマ」の一例である。
【符号の説明】
【００６８】
１                                    ガスコンロ
２                                    筐体
４                                    右バーナ
５                                    左バーナ
１１，１２                            操作つまみ
１５                                  切替スイッチ
１５Ａ                                設定報知ＬＥＤ
１０１                                ＣＰＵ
１０４                                フラッシュメモリ
１０５                                タイマ
１１９                                電磁弁
【図１】
2019120452.tif 000003
【図２】
2019120452.tif 000004
【図３】
2019120452.tif 000005
【図４】
2019120452.tif 000006
【図５】
2019120452.tif 000007
【図６】
2019120452.tif 000008
【図７】
2019120452.tif 000009
【図８】
2019120452.tif 000010
【図９】
2019120452.tif 000011